(57)【特許請求の範囲】
【請求項１】
車両盗難防止用のドアロックモータと接続する電線の色を他の機器と接続する電線の色とは異なる所定の色としたドアロックモータ接続電線と、
前記ドアロックモータ接続電線と一緒に配索され、且つ、前記ドアロックモータ接続電線と同一の前記所定の色を有してアースされている複数のダミー電線と、を有し、
前記ドアロックモータ接続電線が、前記ドアロックモータに対してドアロック解除のための＋電圧を供給する電線であり、前記ダミー電線が、アースに繋がる電線に導通接続されていることを特徴とする車両盗難防止回路。
【発明の詳細な説明】
【技術分野】
【０００１】
本発明は、車外から車両配線に不正を働く行為を防止する車両盗難防止回路に関し、特に、不正操作の対象となる電線が車外から特定できないようにしたものである。
【背景技術】
【０００２】
最近の自動車の多くは、車両盗難防止の見地から、遠隔操作が可能なドアロック装置を装備している。自動車から離れるドライバーは、赤外線や電波による遠隔操作スイッチでドアロック装置をロック状態にする。そうすると、車両ドアの外ハンドルを操作しても車両ドアは開かない。ドライバーが再び自動車に乗り込む場合は、遠隔操作でドアロック装置をアンロック状態に変え、外ハンドルを引いて車両ドアを開ける。
【０００３】
図４は、この自動車の回路を模式的に示している。車両ドアには、ドアロック装置を駆動するドアロックモータ１０の他に、スピーカ２０やランプ３０、あるいは、ボディアース用のアース線４０等が配置されている。
【０００４】
各電装品に配線される電線は、ハーネス組立てや修理に際して配線間違いを起こさないように異なる色で色分けされている。
【０００５】
また、各電線は、車両ドアから合成ゴム製の蛇腹チューブ（グロメット）５０に挿通されて車体側に導出され、コネクタ６０を介して、所要の電源やヒューズ等に接続され、あるいはボディアースされる。
【０００６】
ドアロックモータ１０は、コネクタ６０を介して、切替スイッチ１１に接続している。切替スイッチ１１の切替で、ドアロックモータ１０の白色電線が電源１２の＋側に接続し、赤色電線がアースに接続した場合は、ドアロックモータ１０の回転によりドアロック装置がロック状態に移行する。逆に、赤色電線が電源１２の＋側に接続し、白色電線がアースに接続した場合は、ドアロックモータ１０が逆回転し、ドアロック装置がアンロック状態になる。
【０００７】
しかし、車内の物色や車両の奪略を目論む加害者は、ドアロック装置がロック状態であっても、ドアと車体との隙間からグロメット５０に手を加え、不正操作を行なってドアを開けてしまう場合がある。
【０００８】
このとき、加害者は、車両ドアと車体との隙間からグロメット５０を切り開き、配線の色を頼りに、赤色電線を、持ち込んだバッテリの＋側に接続し、白色電線をアースする。こうすると、ドアロックモータ１０は、ドアロック装置をアンロックする方向に回転し、車両ドアは、外ハンドルを引けば開くようになる。
【０００９】
こうした被害を防ぐために、従来、ドアロックモータ１０に繋がる二本の電線の色を同色にして(即ち、図４の赤色電線及び白色電線を共に赤色電線にして)、アンロック用の電線が特定できないようにすることが行なわれている。
【００１０】
また、ドアに配線する電線の全てを同色にする(即ち、図４の赤色、白色、青色、茶色、黄色、緑色及び黒色の電線を全て赤色電線にする)ことも提案されている。
【００１１】
また、下記特許文献１には、電線に二層の絶縁被覆を形成し、内層は、電線ごとに規定された電線色で色分けし、外層は、全ての電線において共通の単一色を使用し、端子と接続する電線の端部では、外層を剥離して内層を露出させることが記載されている。
【００１２】
【特許文献１】特開２００３−３０６０９０号公報
【発明の開示】
【発明が解決しようとする課題】
【００１３】
しかし、ドアロックモータに繋がる二本の電線の色を同色にするだけでは、加害者が１／２の確率でドアロックの解除に成功するため、車両盗難防止の効果は小さい。
【００１４】
また、配線の全てを同色にした場合は、各電線を色で識別することができなくなり、車両の組立てや修理の際に、電線の配索ミスが発生し、作業性が低下する。
【００１５】
また、特許文献１に記載された二層の絶縁被覆を持つ電線は、その製造に際して、成形設備の変更や、層の厚さの管理が必要となり、作業工数が増加する。また、材料コストが上昇し、コスト増を招来する。
【００１６】
本発明は、上述した事情に鑑みてなされたものであり、その目的は、電線の製造条件の変更が不要で、配線時の作業性を損なうことが無く、且つ、車両盗難防止の実効性が高い車両盗難防止回路を提供することにある。
【課題を解決するための手段】
【００１７】
前述した目的を達成するため、本発明に係る車両盗難防止回路は、下記（１）を特徴としている。
（１） 車両盗難防止用のドアロックモータと接続する電線の色を他の機器と接続する電線の色とは異なる所定の色としたドアロックモータ接続電線と、前記ドアロックモータ接続電線と一緒に配索され、且つ、前記ドアロックモータ接続電線と同一の前記所定の色を有してアースされている複数のダミー電線と、を有し、前記ドアロックモータ接続電線が、前記ドアロックモータに対してドアロック解除のための＋電圧を供給する電線であり、前記ダミー電線が、アースに繋がる電線に導通接続されていること。
【００１８】
上記（１）の構成の車両盗難防止回路によれば、加害者が、車両盗難防止用の電装品に接続する電線を、色を頼りに特定しようとしても、同色の電線が複数配索されているため、目的の電線を簡単に見付けることができない。また、各電装品への配線は、規定された電線色の電線を使用しているため、配索の作業性は損なわれない。加害者がグロメットを車両ドアと車体との隙間より切り開いても、ダミー電線が一緒に配索されているために、目的の電線を見付けることができない。加害者がドアロックモータを不正に動作させてドアロックを解除することを防止できる。加害者に対して、ドアロック装置のロック解除電線を分からなくすることができる。ダミー電線のアース接続を簡単に実現できる。
【発明の効果】
【００１９】
本発明の車両盗難防止回路は、目的の電線の発見に時間が掛かるため、加害者の犯行意欲を阻喪させることができ、車両盗難防止の実効性が高い。また、配線作業は、従来通り、配線色に基づいて行なうことができるため、作業性を損なうおそれは無い。また、ダミー電線には、従来の電線をそのまま使用することができるため、電線の製造条件の変更は不要である。
【００２０】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００２１】
以下、本発明に係る複数の好適な実施形態を図面に基づいて詳細に説明する。
【００２２】
図１は、本発明の実施形態における車両盗難防止回路を模式的に示している。
【００２３】
この回路では、従来の回路（図４）と同様に、車両ドア側にドアロックモータ１０、スピーカ２０及びランプ３０が配置され、これらの電装品には、規定された電線色で色分けされた電線が接続されている。
【００２４】
また、車両ドア側のアース電線４０に対しては、複数本の赤色の電線４２がボンダー接続４１されており、その点だけが従来の回路（図４）の車両ドア側と相違している（ボンダー接続４１については後述する）。
【００２５】
この電線４２は、ドアロックモータ１０の赤色電線（即ち、ドアロック装置のロック解除用電線）のダミーとなるダミー電線４２である。
【００２６】
車両ドア側の電装品に接続した各電線、アース電線４０及びダミー電線４２は、グロメット５０に挿通されて車体側に導出される。ダミー電線４２を除く各電線は、従来の回路（図４）と同様に、コネクタ６０を介して、所要の電源やヒューズ、あるいはアース等に接続する。ドアロックモータ１０は、赤色電線及び白色電線を通じて切替スイッチ１１に接続し、切替スイッチ１１の切り替えに応じて、従来の回路（図４）と同様に、ドアロック装置のロックまたはロック解除を実行する。
【００２７】
アース電線４０と複数のダミー電線４２とのボンダー接続４１は、図２に示すように、各電線７０を束にし、各電線７０の導体端部を絶縁被覆から露出させて、半田等で電気的・機械的に一体化し、この電線接続部７１に保護用の樹脂キャップ７２を被せて完成する（樹脂キャップが被せられた電線の電線接続部を「ボンダー接続」と言う）。
【００２８】
また、このとき、図３に示すように、クランプ部材７３を用いて電線７０の束を結束するようにしても良い。あるいは、図２および図３に示されるようなボンダー接続でなくともよい。即ち、例えば、前述のボンダー接続から樹脂キャップを取り除いたもの、ジョイントコネクタを用いた電線の電気的接続、あるいは加締め端子で電線を加締めることによる電気的接続、等であってもよく、いずれにしてもアース電線４０と複数のダミー電線４２とが導通接続する形態であればよい。
【００２９】
このように、この車両盗難防止回路では、ドアと車体とを繋ぐグロメット５０内に、ドアロック装置のロック解除電線と共に、このロック解除電線と同色の複数のダミー電線４０が一緒に配索されている。このダミー電線４０は、ドア側では、アースに接続する電線４０に接続しているが、車体側ではフリーの状態にある。
【００３０】
そのため、加害者が、ドアと車体との隙間からグロメット５０を切り開き、ドアロック装置のロック解除電線を見付けようとしても、同色の電線が多数あるので、ロック解除電線を見つけ出すまでに多くの時間が掛かることになる。従って、加害者は、犯行の実行に時間が掛かり、発覚の可能性が高くなることを察知して、犯行意欲を阻喪する。
【００３１】
また、加害者が、ロック解除電線を見極めないまま、持ち込んだバッテリを闇雲に電線に接続した場合は、その電線がアース接続されているダミー電線４２であると、ヒューズの溶断等が誘発され、車両が動かなくなる事態等が予想される。こうした予想は、加害者を心理的に圧迫し、犯行を諦めさせる。
【００３２】
その結果、この車両盗難防止回路を装備した車両の安全性が向上する。
【００３３】
また、各電装品への配線は、規定された電線色の電線を使用しているため、配索の作業性を損なう虞はない。
【００３４】
また、ダミー電線４２には、ドアロックモータ１０のロック解除電線として製造された赤色電線をそのまま使うことができ、ダミー電線製造のための特別の製造設備や製造工数は必要がない。
【００３５】
また、ダミー電線４２は、車体側ではフリーの状態にあり、コネクタ接続等は一切不要である。また、ドア側では、ダミー電線４２をアース線４０にボンダー接続する簡単な作業が加わるだけで、配索作業量の増加は僅かである。
【００３６】
尚、ここでは、ドアロック装置のロック解除電線（赤色電線）に対するダミー電線を設ける場合について説明したが、ロック設定電線(白色電線)に対するダミー電線を併せて設けるようにしても良い。こうすることで、加害者は、目的の電線を発見することが更に困難になる。
【００３７】
例えば、４本のダミー電線を設ける場合に、４本とも赤色電線のダミー電線とすると、加害者が選んだ電線が正規の赤色電線である確率は１／５となる。一方、２本の赤色電線のダミー電線と２本の白色電線のダミー電線とを設けた場合は、正規の赤色電線に当たる確率が１／３、正規の白色電線に当たる確率が１／３となり、正規の赤色電線及び白色電線を選ぶ確率が１／９に低下する。
【００３８】
また、ここでは、ドアロック装置に接続する電線のダミー電線を設ける場合について説明したが、車窓ガラスの破壊や振動を検知して警報を発するセキュリティ回路やセンサー等に接続する電線を対象としてダミー電線を設けるようにしても良い。
【００３９】
また、ダミー電線の本数は、任意である。
【００４０】
尚、本発明は、前述した実施形態に限定されるものではなく、適宜、変形、改良、等が可能である。その他、前述した実施形態における各構成要素の材質、形状、寸法、数値、形態、数、配置箇所、等は本発明を達成できるものであれば任意であり、限定されない。
【図面の簡単な説明】
【００４１】
【図１】本発明の実施形態における車両盗難防止回路の構成を示す模式図である。
【図２】アース線とダミー電線とのボンダー接続の形態を示す図である。
【図３】アース線とダミー電線とのボンダー接続の他の形態を示す図である。
【図４】従来の車両盗難防止回路の構成を示す模式図である。
【符号の説明】
【００４２】
１０  ドアロックモータ
１１  切替スイッチ
１２  電源
２０  スピーカ
３０  ランプ
４０  アース線
４１  ボンダー接続
４２  ダミー電線
５０  グロメット
６０  コネクタ
７０  電線
７１  電線接続部
７２  樹脂キャップ
７３  クランプ部材
【図１】
0004757052.tif 000002
【図２】
0004757052.tif 000003
【図３】
0004757052.tif 000004
【図４】
0004757052.tif 000005